(57)【要約】【課題】パワーコンディショナの本体の幅を狭くする。【解決手段】パワーコンディショナ（１０）は、電力を入力するための配線が接続される入力側接続端子と、電力を出力するための配線が接続される出力側接続端子とを有する本体（１１）を備える。本体（１１）は、本体（１１）を運搬するための把持部（５０）を上面に備える。【選択図】図３
2019193565.tif 000002
【特許請求の範囲】
【請求項１】
電力を入力するための配線が接続される入力側接続端子と、電力を出力するための配線が接続される出力側接続端子とを有する本体を備え、
該本体は、前記本体を運搬するための把持部を上面に備えるパワーコンディショナ。
【請求項２】
電力を入力するための配線が接続される入力側接続端子と、電力を出力するための配線が接続される出力側接続端子とを有する本体と、
該本体の前側に取り付けられる正面カバーとを備え、
該本体の上面前側は、前記正面カバーの上部と対向するように上方に伸び、さらに後方に伸びた形状となっているパワーコンディショナ。
【請求項３】
電力を入力するための配線が接続される入力側接続端子と、電力を出力するための配線が接続される出力側接続端子とを前側に有し、放熱板を後側に有する本体を備え、
該本体は、上面前側に把持部を備えるパワーコンディショナ。
【請求項４】
電力を入力するための配線が接続される入力側接続端子と、電力を出力するための配線が接続される出力側接続端子とを有する本体を備え、
該本体は、作業者の指が挿入可能である空間部を上面前側に備えるパワーコンディショナ。
【請求項５】
電力を入力するための配線が接続される入力側接続端子と、電力を出力するための配線が接続される出力側接続端子とを有する本体と、
該本体の前側に取り付けられる正面カバーとを備え、
該正面カバーは、ビスにより前記本体に取り付けられており、
前記正面カバーは、上部に把持部を備えるパワーコンディショナ。
【発明の詳細な説明】
【技術分野】
【０００１】
本発明は、太陽光発電システムに用いられるパワーコンディショナに関する。
【背景技術】
【０００２】
従来の太陽光発電システムでは、太陽電池にて発電された直流電力が、パワーコンディショナ（Power Conditioning System）にて適当な直流電力および／または適当な交流電力に変換される。変換された電力は、配電盤に出力されたり、外部の電力系統に出力されたりする。このため、パワーコンディショナの筐体内では、太陽電池からの電力を入力するための配線と、外部装置に電力を出力するための配線とが引き込まれて各種端子と接続されている。
【先行技術文献】
【特許文献】
【０００３】
【特許文献１】特開２０１７−０９９１６１号公報（２０１７年６月１日公開）
【発明の概要】
【発明が解決しようとする課題】
【０００４】
上記配線は、上記筐体の背面の開口部から引き込む場合と、上記筐体の底面の開口部から引き込む場合とがある（例えば特許文献１を参照）。前者の場合は、後者の場合に比べて、上記配線が確実に隠蔽されるので、美観を維持できるという利点がある。一方、後者の場合は、前者の場合に比べて、上記配線を各種の接続端子と接続する作業（配線接続作業）が容易であるという利点がある。
【０００５】
本開示の一態様は、上記課題を解決するためになされたものであり、その目的は、美観を維持でき、かつ、配線接続作業が容易であるパワーコンディショナを提供することにある。
【課題を解決するための手段】
【０００６】
上記の課題を解決するために、本開示の一態様に係るパワーコンディショナは、複数の配線が底面から引き込まれる本体と、該本体の底面に取り付け可能な下側筐体とを備え、該下側筐体は、上面から背面にわたって開口する開口部を備え、該開口部は、前記複数の配線が内部から前記本体に通る上面開口と、前記複数の配線の少なくとも一部が背面側の外部から内部に通る背面開口とを備える。
【０００７】
上記の構成によると、下側筐体における上面開口と背面開口との間も開口している。従って、背面側の外部からの配線を本体の底面から引き込んで前記本体の内部で配線接続作業をした後に、前記下側筐体を前記本体に取り付けると共に、前記下側筐体に当該配線を収容することができる。その結果、前記配線接続作業を容易に行うことができる。また、前記背面側の外部から前記本体に引き込まれた配線は、前記下側筐体によって隠蔽されるので、美観を維持することができる。
【０００８】
前記パワーコンディショナでは、前記下側筐体を前記本体に一時的に取り付けるための仮止め手段と、前記下側筐体を前記本体に固定するための固定手段とを備えてもよい。ここで、仮止め手段の例としては、前記本体に対し前記下側筐体を或る方向に移動させることにより取り付けられ、当該方向とは反対向きに移動させることにより取り外せるような機構などが挙げられる。その他の例としては、前記本体に前記下側筐体を貼り付ける粘着テープなどが挙げられる。また、固定手段による固定の例としては、ねじで止める、かしめるなどが挙げられる。
【０００９】
上記の場合、前記下側筐体を前記本体に取り付ける場合、仮止め手段を用いて仮止めしてから、固定手段を用いて固定することができるので、取付けの作業効率が向上する。なお、前記仮止め手段は、前記下側筐体を前記本体に固定する固定位置を決める位置決め手段として機能することが望ましい。この場合、前記取付けの作業効率がさらに向上する。
【００１０】
前記パワーコンディショナでは、前記下側筐体は、内部に侵入した液体を外部に排出するための水抜き孔を底面に備えることが好ましい。この場合、雨水等の液体が内部に侵入しても、当該液体を外部に排出することができる。その結果、前記下側筐体内の前記配線が前記液体に浸かることを防止することができる。
【００１１】
ところで、前記背面側の外部からの配線は、通常、壁面に形成した開口からの配線である。この壁面の開口の位置は、当該壁面の施工状況によって様々である。
【００１２】
そこで、前記パワーコンディショナでは、前記下側筐体の開口部は、複数の前記背面開口を備えており、前記下側筐体は、前記背面開口のそれぞれを閉塞する着脱可能な閉塞部材を少なくとも１つ備えてもよい。この場合、壁面の様々な開口の位置に、前記下側筐体の前記背面開口の１つを対応させ、残りの前記背面開口を閉塞部材により閉塞することができる。その結果、パワーコンディショナを壁面の様々な位置に取り付けることができる。
【００１３】
前記パワーコンディショナでは、前記下側筐体は、さらに、前記閉塞部材を所定位置に取り付けるための位置決め孔を底部に備えていてもよい。この場合、位置決め孔により前記閉塞部材を所定位置に取り付けることができる。さらに、前記位置決め孔は、前記下側筐体の底部に設けられた貫通孔であるため、前記閉塞部材が前記下側筐体に取り付けられない前記位置決め孔は、前述の水抜き孔として機能することができる。
【００１４】
前記パワーコンディショナでは、前記本体は金属製であり、前記下側筐体はプラスチック製であってもよい。この場合、前記本体内部の電気回路を外部の電磁波から保護することができる。また、前記下側筐体を種々の形状で製造することができるので、例えば、前記仮止め手段、前記水抜き孔、前記位置決め孔などを前記下側筐体に容易に形成することができる。さらに、前記固定手段での固定が容易になるような形状に前記下側筐体を形成することができる。なお、前記本体は、プラスチック製の筐体の内面または外面に金属製のシールド部材を設けたものであってもよい。この場合でも、前記電気回路を外部の電磁波から保護することができる。
【００１５】
ところで、本開示では、前記本体内の下部における配線接続作業用の空間を狭くすることができる。これにより、前記本体を小型化できると共に、前記本体の下部の強度を向上することができる。
【００１６】
そこで、前記パワーコンディショナでは、前記本体は、前記本体を運搬するための把持部を、本体の上面および底面に備えてもよい。この場合、前記本体の側面に把持部を設ける必要がなくなり、前記本体の幅を狭くすることができる。
【００１７】
前記パワーコンディショナでは、前記本体は、前記配線を収容して保護する電線管を前記底面にて取り付け可能となっており、前記下側筐体の開口部は、前記電線管が通る底面開口をさらに備えており、前記下側筐体は、前記底面開口を切断するように、前後に分離可能であってもよい。この場合、前記本体の底面に取り付けられた電線管内の配線を前記本体内に引き込むことができる。従って、前記電線管で隠蔽された配線と、前記下側筐体で隠蔽された配線とを前記本体内に引き込むことができる。さらに、例え前記電線管が前記本体に取り付けられていても、まず、前記下側筐体の後部を前記本体に取り付け、次いで、前記下側筐体の前部を前記本体に取り付けることにより、前記本体に前記下側筐体を容易に取り付けることができる。
【発明の効果】
【００１８】
本開示の一態様によれば、美観を維持でき、かつ、配線接続作業が容易であるという効果を奏する。
【図面の簡単な説明】
【００１９】
【図１】（ａ）は本開示の実施形態におけるパワーコンディショナの構成を示すものであって、壁面に取り付けた、正面カバーを外したパワーコンディショナの構成を示す正面図であり、（ｂ）は前記パワーコンディショナを下側から見上げた斜視図である。
【図２】前記パワーコンディショナの構成を示す斜視図である。
【図３】（ａ）は前記パワーコンディショナの構成を示す正面図であり、（ｂ）はその側面図であり、（ｃ）はその底面図であり、（ｄ）は（ｂ）における一点鎖線αで囲んだ部分の断面図であり、（ｅ）は（ｂ）における一点鎖線βで囲んだ部分の断面図である。
【図４】正面カバーを外した状態のパワーコンディショナの構成を、前面側を上にして示す分解斜視図である。
【図５】（ａ）は前記パワーコンディショナの下側筐体の構成を示す斜視図であり、（ｂ）はその正面図であり、（ｃ）はその側面図であり、（ｄ）は（ｂ）のＡ−Ａ線断面図であり、（ｅ）は下側筐体の底面に設けられた水抜き孔を拡大して示す断面図である。
【図６】（ａ）は前記パワーコンディショナにおける下側筐体の背面の両側に存在するうちの一方の背面側開口においてスライド蓋を施蓋し始めた状態を示す斜視図であり、（ｂ）はスライド蓋の施蓋を終えた状態を示す斜視図である。
【図７】前記パワーコンディショナの壁面への取り付け手順を示す斜視図である。
【図８】（ａ）（ｂ）（ｃ）（ｄ）は、前記下側筐体をパワーコンディショナ本体の底面部に取り付ける手順を示す断面図である。
【図９】前記パワーコンディショナの変形例の構成を示すものであって、壁面に取り付けた、正面カバーを外したパワーコンディショナの構成を示す正面図である。
【図１０】変形例のパワーコンディショナにおける下側筐体の構成を、前面側を上にして示す分解斜視図である。
【発明を実施するための形態】
【００２０】
以下、本開示の一側面に係る実施の形態（以下、「本実施形態」とも表記する）を、図面に基づいて説明する。
【００２１】
（適用例）
まず、図１に基づいて、本開示が適用される場面の一例について説明する。図１の（ａ）は、本開示の一態様におけるパワーコンディショナ１０の構成を示すものであって、壁面に取り付けた、正面カバー１３を外したパワーコンディショナ１０の構成を示す正面図である。図１の（ｂ）は、壁面に取り付けた、正面カバー１３を外したパワーコンディショナ１０を下側から見上げた斜視図である。なお、図１の（ａ）では、一部の部材を切り欠いて示している。
【００２２】
図１に示すように、パワーコンディショナ１０は、複数の配線４が底面から引き込まれる本体１１と、該本体１１の底面に取り付け可能な下側筐体２０とを備え、該下側筐体２０は、上面から背面にわたって開口する開口部を備え、該開口部は、複数の配線４が内部から本体１１に通る上面開口２８と、複数の配線４の少なくとも一部が背面側の外部から内部に通る背面壁開口２２（背面開口）とを備える。
【００２３】
上記の構成によると、下側筐体２０における上面開口２８と背面壁開口２２との間も開口している。従って、背面側の外部からの配線４を本体１１の底面から引き込んで本体１１の内部で配線接続作業をした後に、下側筐体２０を本体１１に取り付けると共に、下側筐体２０に当該配線４を収容することができる。その結果、配線接続作業を容易に行うことができる。また、背面側の外部から本体１１に引き込まれた配線４は、下側筐体２０によって隠蔽されるので、美観を維持することができる。
【００２４】
（構成例）
本開示の実施の形態について図１〜図８に基づいて説明すれば、以下のとおりである。
【００２５】
（パワーコンディショナの構成）
本実施の形態のパワーコンディショナは、太陽光発電を利用した系統連系システムに用いられるパワーコンディショナ（Power Conditioning System）である。
【００２６】
系統連系システムは、住宅の屋根等に設置する複数の太陽電池と、各太陽電池により発電された直流電力を交流電力に変換するパワーコンディショナとで構成される。そして、この系統連系システムは、パワーコンディショナと商用電力系統との間に接続された負荷に対して、系統連系運転と自立運転との何れか一方に切り替えて交流電力を供給するものである。ここで、系統連系運転とは、パワーコンディショナと商用電力系統とを連系して運転することを示す。また、自立運転とは、例えば商用電力系統が停電している場合等に、パワーコンディショナのみを運転することを示す。
【００２７】
ところで、パワーコンディショナを壁面に設置する場合、壁面から露出させた配線４をパワーコンディショナ本体の底面から引き込んでパワーコンディショナ本体の入力側開閉器、出力側端子台等における各種接続端子に接続する場合がある。この場合、パワーコンディショナ本体に引き込まれる配線４が露出することになるので、配線４の保護および美観の観点から好ましくない。本実施の形態のパワーコンディショナは、これらの問題を解決すべく、案出されたものである。
【００２８】
図２、及び図３の（ａ）（ｂ）（ｃ）（ｄ）（ｅ）に基づいて、本実施の形態のパワーコンディショナ１０の構成について説明する。図１の（ａ）は、パワーコンディショナ１０の構成を示すものであって、壁面に取り付けた、正面カバー１３を外したパワーコンディショナ１０の構成を示す正面図である。
【００２９】
図２は、パワーコンディショナ１０の構成を示す斜視図である。図３の（ａ）は、パワーコンディショナ１０の構成を示す正面図である。図３の（ｂ）は、パワーコンディショナ１０の構成を示す正面図である。図３の（ｃ）は、パワーコンディショナ１０の構成を示す底面図である。図３の（ｄ）は、図３の（ｂ）における一点鎖線αで囲んだ部分の断面図である。図３の（ｅ）は、図３の（ｂ）における一点鎖線βで囲んだ部分の断面図である。尚、本明細書においては、正面側を前側と称し、背面側を後側と称する場合がある。
【００３０】
図２、及び図３の（ａ）（ｂ）（ｃ）（ｄ）（ｅ）に示すように、パワーコンディショナ１０は、略長方形の本体１１と、本体１１の下側における前側半分に取り付けられた下側筐体２０と、本体１１の下側であって下側筐体２０における右側の後側に設けられた隠蔽ダクト３とを備えている。
【００３１】
本実施の形態のパワーコンディショナ１０は、前側に正面カバー１３を備えており、正面カバー１３は、前側からビスにより本体１１に取り付け可能となっている。
【００３２】
また、本実施の形態のパワーコンディショナ１０では、本体１１の上面前側は、上方に伸び、さらに後方に伸びている。また、正面カバー１３の上部は、後方に伸び、さらに下方に伸びている。これにより、パワーコンディショナ１０の上面前側には、作業者の指を挿入できる空間が形成されることになる。一方、本体１１の下面前側は、下方に伸び、さらに後方に伸びている。また、正面カバー１３の下部は、後方に伸びている。これにより、パワーコンディショナ１０の下面前側には、作業者の指を挿入できる空間が形成されることになる。
【００３３】
ところで、図１の（ａ）（ｂ）を参照すると、本体１１の底面から各種接続端子までの配線４は、シンプルに伸びている。従って、本体１１内の下部における配線接続作業用の空間を狭くすることができる。これにより、本体１１を小型化できると共に、本体１１の下部の強度を向上することができる。
【００３４】
そこで、本実施の形態のパワーコンディショナ１０では、上記上面前側および上記下面前側の空間を形成する部分は、それぞれ、本体１１を運搬するための把持部５０・５１となる。この場合、本体１１の側面に把持部を設ける必要がなくなり、本体１１の幅を狭くすることができる。
【００３５】
図４は、正面カバー１３を外した状態のパワーコンディショナ１０の構成を、前面側を上にして示す分解斜視図である。図４に示すように、本体１１は、正面カバー１３を外すと、例えば、入力側開閉器１５や出力側端子台１６、その他表示部等が露出するようになっている。本体１１の本体底面部１１ａには、外部からの配線４を通す本体配線孔１４が複数個設けられている。したがって、外部から本体配線孔１４を通して本体１１に内部に引き込まれた配線４は、入力側開閉器１５や出力側端子台１６の各種接続端子に接続される。
【００３６】
本体１１の上側における両側面には、側面から突出する突起部１２・１２が設けられている。これら突起部１２・１２を、後述する図７に示すように、図示しない壁面に固定された取付けベース板１のフック部１ｃに引っ掛けることにより、本体１１が取付けベース板１に取り付けられるようになっている。
【００３７】
下側筐体２０は、本実施の形態では、外部から本体配線孔１４を通して本体１１に内部に引き込まれる配線４を隠すために設けられている。下側筐体２０は、プラスチック製であり、射出成形などによって製造される。従って、下側筐体２０は、後述する図５に示すように、種々の形状で製造することができるので、例えば、後述する庇開口部２４ａ、係止部２７、水抜き孔２５、位置決め孔２９、背面管部３１などを下側筐体２０に容易に形成することができる。なお、本体１１は、外部からの電磁波を遮断する、内部に設けた電気回路を保護するなどの観点から、金属製であるが、これに限定されるものではない。例えば、本体１１は、プラスチック製の筐体の内面または外面に金属製のシールド部材を設けたものであってもよい。この場合でも、上記シールド部材が外部からの電磁波を遮断し、上記電気回路を保護することができる。
【００３８】
図５の（ａ）は下側筐体２０の構成を示す斜視図であり、図５の（ｂ）はその正面図であり、図５の（ｃ）はその側面図であり、図５の（ｄ）は図５の（ｂ）のＡ−Ａ線断面図であり、図５の（ｅ）は下側筐体２０の底面に設けられた水抜き孔２５を拡大して示す断面図である。図６の（ａ）は、パワーコンディショナ１０における下側筐体２０の背面の両側に存在するうちの一方の背面壁開口２２においてスライド蓋２３（閉塞部材）を施蓋し始めた状態を示す斜視図である。図６の（ｂ）は、スライド蓋２３の施蓋を終えた状態（閉塞状態）を示す斜視図である。
【００３９】
図５の（ａ）（ｂ）（ｃ）（ｄ）（ｅ）に示すように、下側筐体２０は、有底の箱型形状を有しており、上面が上面開口２８となっていると共に、背面側には２箇所の背面壁開口２２・２２が形成されている。
【００４０】
２箇所の背面壁開口２２・２２は、いずれか一方の背面壁開口２２を通して配線４が隠蔽ダクト３を介して下側筐体２０に引き込まれるために使用される。その場合、他方の背面壁開口２２は、開けておくと雨水等が浸入するので、塞いでおく必要がある。このため、図６の（ａ）（ｂ）に示すように、他方の背面壁開口２２は、着脱可能なスライド蓋２３によって施蓋される。すなわち、２箇所の背面壁開口２２・２２は、スライド蓋２３がいずれの背面壁開口２２・２２に挿入されてもスライドできるように同じ大きさとなっている。このため、壁面から配線４を露出させる位置に応じて、隠蔽ダクト３が左右のいずれに存在しても対応できるようになっている。その結果、パワーコンディショナ１０を壁面の様々な位置に取り付けることができる。
【００４１】
下側筐体２０は、本実施の形態では、図５の（ｄ）（ｅ）に示すように、底部に水抜き孔２５が形成されていると共に、水抜き孔２５の周辺は傾斜部２６が形成されている。これにより、下側筐体２０に雨水（液体）が浸入しても、雨水はこの水抜き孔２５から外部に排出されるようになっている。
【００４２】
また、図５の（ａ）に示すように、下側筐体２０における上面開口２８には、背面側に庇部２４が形成されている。庇部２４は、下側筐体２０を本体１１の本体底面部１１ａに取り付けるに際して、後述するローレットねじ１７（仮止め手段）を通すための庇開口部２４ａ（仮止め手段）を有している。庇開口部２４ａは、庇部２４における前側が、ローレットねじ１７を、ゆとりを持って挿入できるように大きく開口されている一方、庇部２４における後側が、ローレットねじ１７を固定できるように該ローレットねじ１７のネジの幅よりも少し広い開口となっている。
【００４３】
隠蔽ダクト３は、図示しない壁面から露出された配線４を隠蔽するために設けられている。すなわち、図４に示すように、本体１１には、通常、前側に各種の電気機器、接続端子等が設けられ、後側にファン、放熱板等が設けられている。そこで、下側筐体２０は、パワーコンディショナ１０の下側において、前側半分の位置に設けられている。このため、図示しない壁面と下側筐体２０の背面壁開口２２との間には距離があり、この間において配線４が露出することになる。そこで、本実施の形態では、図示しない壁面と下側筐体２０の背面壁開口２２との間に露出する配線４を隠蔽するために隠蔽ダクト３が設けられている。
【００４４】
隠蔽ダクト３は、図４に示すように、背面側にはダクト背面開口３ａを有し、前側にはダクト前側開口３ｂを有し、底面側にもダクト底面開口３ｃを有している。ダクト背面開口３ａ及びダクト前側開口３ｂは、配線４が通る開口である。ダクト底面開口３ｃは、隠蔽ダクト３における配線４の設置作業を容易にするためのものであり、ダクトカバー３ｄにて施蓋されるようになっている。
【００４５】
さらに、ダクト底面開口３ｃは、新たな隠蔽ダクト（図示せず）を取り付けるためのものでもある。ダクトカバー３ｄをダクト底面開口３ｃから取り外し可能とすることにより、上記新たな隠蔽ダクトを通る配線４を隠蔽ダクト３へ設置したり、上記新たな隠蔽ダクトをダクト底面開口３ｃに取り付けたりする作業が容易となる。
【００４６】
（パワーコンンディショナの壁面への取り付け方法）
本実施の形態のパワーコンディショナ１０の壁面への取り付け方法について、図７に基づいて説明する。図７は、パワーコンディショナ１０の壁面への取り付け手順を示す斜視図である。
【００４７】
図７に示ように、本実施の形態のパワーコンディショナ１０を図示しない壁面に取り付ける場合には、最初に、取付けベース板１をねじ１ａにて図示しない壁面に取り付ける。尚、図７においては、１個のねじ１ａしか記載していないが、実際には、ねじ１ａは複数箇所に存在している。
【００４８】
壁面に取付けベース板１を取り付けた後、取付けベース板１における折曲下端板１ｂの例えば右端に隠蔽ダクト３をねじ３ｅにより取り付ける。その後、隠蔽ダクト３のダクト背面開口３ａにおける壁面側縁と図示しない壁面との隙間を外側からコーキング（封止材で封止）する。
【００４９】
次いで、パワーコンディショナ１０の本体１１を取付けベース板１に取り付ける。
【００５０】
本体１１を取付けベース板１に取り付けるときには、まず、本体１１の上側において左右の両側面から突出して設けられた突起部１２・１２を、取付けベース板１に形成されたフック部１ｃ・１ｃに引っ掛ける。このとき、本体１１の本体底面部１１ａは、取付けベース板１の折曲下端板１ｂに載置されている。このため、本体１１の下方からねじ１ｄにて該本体１１の本体底面部１１ａを通して取付けベース板１の折曲下端板１ｂにねじ止めする。これにより、本体１１を取付けベース板１に固定することができる。
【００５１】
次いで、この状態で、配線工事（配線接続作業）が行われる。配線工事は、本体１１の正面カバー１３を外した状態で行う。正面カバー１３は、ねじ１３ａを外すことにより行うことができる。配線工事に際しては、図示しない壁面に形成した図示しない配線用開口から隠蔽ダクト３のダクト背面開口３ａを通された複数の図示しない配線４が、図４に示すように、本体１１の本体底面部１１ａに設けられた複数の本体配線孔１４を通して、本体１１に設けられた入力側開閉器１５や出力側端子台１６等の各種接続端子に接続される。
【００５２】
尚、隠蔽ダクト３から本体１１までの配線４は、隠蔽ダクト３の底面よりも高い位置とすることが好ましい。これにより、隠蔽ダクト３から本体１１までの配線４を下側筐体２０の内部に確実に収容することができる。
【００５３】
配線工事が終了した後は、本体配線孔１４を通した複数の配線４の隙間部分をパテ埋め（封止材で封止）しておく。これにより、本体１１への虫等の侵入を防止することができる。
【００５４】
次いで、下側筐体２０を本体１１の本体底面部１１ａに取り付ける。ここで、下側筐体２０の下側筐体背面壁２１には、図５の（ａ）（ｂ）（ｃ）（ｄ）に示すように、左右２箇所の背面壁開口２２・２２が形成されている。このため、隠蔽ダクト３が存在しない側の背面壁開口２２は、閉じておく必要がある。そこで、図６の（ａ）（ｂ）に示すように、隠蔽ダクト３が存在しない側の背面壁開口２２をスライド蓋２３にて閉じる。本実施の形態では、パワーコンディショナ１０を正面側から見たときに、右側に隠蔽ダクト３が存在するので、左側の背面壁開口２２を閉じる。
【００５５】
下側筐体２０における左側の背面壁開口２２を閉じる場合には、図６の（ａ）に示すように、スライド蓋２３の両側端に設けられたスライド溝２３ａ・２３ａを下側筐体背面壁２１の背面壁開口２２への縁部に挿入し、スライド蓋２３を下方にスライドさせる。これにより、図６の（ｂ）に示すように、スライド蓋２３にて下側筐体２０における左側の背面壁開口２２を閉じることができる。
【００５６】
さらに、スライド蓋２３の下端両側に設けられた突片２３ｂ・２３ｂが、下側筐体２０の底面に設けられた位置決め孔２９・２９に嵌合する。これにより、スライド蓋２３が所定位置に取り付けられて、前後左右に動くことを防止でき、下側筐体２０における左側の背面壁開口２２を確実に閉じることができる。
【００５７】
なお、位置決め孔２９・２９は、図６の（ａ）に示すように、左側の背面壁開口２２の付近だけでなく、右側の背面壁開口２２の付近にも設けられている。右側の背面壁開口２２の付近に設けられた位置決め孔２９・２９、すなわち、スライド蓋２３にて閉じられていない背面壁開口２２の付近に設けられた位置決め孔２９・２９は、水抜き孔２５と同様に、下側筐体２０に侵入した雨水等を外部に排出するように機能する。
【００５８】
次いで、下側筐体２０を本体１１の本体底面部１１ａに取り付ける。図８の（ａ）（ｂ）（ｃ）（ｄ）は、下側筐体２０を本体１１の本体底面部１１ａに取り付ける手順を示す断面図である。
【００５９】
図８の（ａ）に示すように、まず、本体１１の本体底面部１１ａの下面背面側に形成されたローレットねじ孔にローレットねじ１７を螺合する。次いで、下側筐体２０を持ち上げ、下側筐体２０の庇部２４に形成されている庇開口部２４ａにローレットねじ１７を上側から通し、図８の（ｂ）に示すように、庇部２４の上面を本体１１の本体底面部１１ａの下面に当接させる。
【００６０】
次いで、図８の（ｃ）に示すように、下側筐体２０を本体底面部１１ａに沿って前側にスライドさせる。これにより、図８の（ｄ）に示すように、本体１１の本体底面部１１ａに設けられたフランジ１１ｂに下側筐体２０の係止部２７（仮止め手段）が挿入されて係止される。また、ローレットねじ１７が庇開口部２４ａの後側に係止される。これにより、下側筐体２０が本体１１の本体底面部１１ａに一時的に固定（仮止め）される。
【００６１】
次いで、図４に示すように、下側筐体２０を本体１１にねじ止めして固定する。本実施の形態では、下側筐体２０は、前側の隅部が丸みを帯びており、前側の隅部の上面には前側縁部３０・３０が設けられている。また、下側筐体２０には、庇部２４と背面壁開口２２・２２との間に背面管部３１・３１が設けられている。そして、下側筐体２０の下方から４本のねじ３２（固定手段）にて該下側筐体２０の前側縁部３０・３０および背面管部３１・３１を通して、本体１１の本体底面部１１ａにネジ止め（固定）する。
【００６２】
従って、下側筐体２０を本体１１に取り付ける場合、一時的に固定されてからネジ止めで固定されるので、取付けの作業効率が向上する。さらに、ローレットねじ１７、庇開口部２４ａ、および係止部２７は、下側筐体２０を本体１１に固定位置を決める位置決め手段としても機能するので、取付けの作業効率がさらに向上する。
【００６３】
なお、本実施の形態では、背面管部３１・３１は、テーパ状となっており、底面から上面に向かうにつれて狭くなっている。これにより、背面管部３１の底面から上面にねじ３２を挿入し易くなり、その結果、作業効率が上昇する。
【００６４】
次いで、隠蔽ダクト３のダクト背面開口３ａと図示しない壁面との隙間を隠蔽ダクト３の内部からコーキングする。その後、隠蔽ダクト３のダクト底面開口３ｃにダクトカバー３ｄをネジ止めする。
【００６５】
この結果、図１の（ｂ）に示すように、壁面から本体１１に引き込まれる配線４を隠蔽することができる。そして、最後に、本体１１に正面カバー１３を取り付けることにより、パワーコンディショナ１０の取り付け工事が完了する。
【００６６】
（変形例）
図９は、パワーコンディショナの変形例の構成を示すものであって、壁面に取り付けた、正面カバー１３を外したパワーコンディショナ１０ａの構成を示す正面図である。図１０は、変形例のパワーコンディショナ１０ａにおける下側筐体２０ａの構成を、前面側を上にして示す分解斜視図である。
【００６７】
図９に示すように、本変形例では、本体１１の本体配線孔１４には、１または複数の配線４を収容して保護する電線管４０が取り付け可能である。また、下側筐体２０ａの底面部には、外部からの電線管４０を通す電線管孔３３（底面開口）が、本体配線孔１４に対応して設けられている。
【００６８】
本変形例は、一部の配線４が、電線管４０を通って本体１１に引き込まれる一方、残りの配線４が、壁面から背面壁開口２２、上面開口２８、および本体配線孔１４を通って本体１１に引き込まれる場合にも対応することができる。従って、電線管４０を利用して配線４を隠蔽すると共に、電線管４０を利用しない配線４を、下側筐体２０を用いて隠蔽することができる。なお、全部の配線４が、電線管４０を通って本体１１に引き込まれる場合にも対応することができる。
【００６９】
図１０に示すように、本変形例では、電線管孔３３を切断するように、下側筐体２０ａが前後に分離可能となっている。具体的には、下側筐体２０ａは、下側筐体前部３４および下側筐体後部３５を備える。下側筐体前部３４は、各電線管孔３３の一部を構成する前側凹部３４ａを備え、下側筐体後部３５は、各電線管孔３３の残りを構成する後側凹部３５ａを備えている。
【００７０】
上記構成の下側筐体２０ａを本体１１に取り付ける場合、まず、下側筐体後部３５を図８の（ａ）（ｂ）（ｃ）（ｄ）に示すように仮止めし、その後、２本のねじ３２にてネジ止めする。次いで、本体配線孔１４に接続された電線管４０を、下側筐体後部３５の後側凹部３５ａに当接させる。次いで、下側筐体前部３４を図８の（ａ）（ｂ）（ｃ）（ｄ）に示すように仮止めし、その後、２本のねじ３２にてネジ止めする。従って、本体１１の本体配線孔１４に電線管４０が接続されている場合でも、下側筐体前部３４および下側筐体後部３５を備える下側筐体２０ａを本体１１に容易に取り付けることができる。
【００７１】
尚、本開示は、上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
【符号の説明】
【００７２】
１        取付けベース板
１ｂ      折曲下端板
１ｃ      フック部
３        隠蔽ダクト
３ａ      ダクト背面開口
３ｂ      ダクト前側開口
３ｃ      ダクト底面開口
３ｄ      ダクトカバー
４        配線
１０、１０ａ    パワーコンディショナ
１１        本体
１１ａ      本体底面部
１１ｂ      フランジ
１２        突起部
１３        正面カバー
１４        本体配線孔
１５        入力側開閉器
１６        出力側端子台
１７        ローレットねじ（仮止め手段）
２０、２０ａ    下側筐体
２１        下側筐体背面壁
２２        背面壁開口（開口部、背面開口）
２３        スライド蓋（閉塞部材）
２３ａ      スライド溝
２３ｂ      突片
２４        庇部
２４ａ      庇開口部（仮止め手段）
２５        水抜き孔
２６        傾斜部
２７        係止部（仮止め手段）
２８        上面開口（開口部）
２９        位置決め孔（水抜き孔）
３０        前側縁部
３１        背面管部
３２        ねじ（固定手段）
３３        電線管孔（底面開口）
３４        下側筐体前部
３４ａ      前側凹部
３５        下側筐体後部
３５ａ      後側凹部
４０        電線管
５０、５１    把持部
【図１】
2019193565.tif 000003
【図２】
2019193565.tif 000004
【図３】
2019193565.tif 000005
【図４】
2019193565.tif 000006
【図５】
2019193565.tif 000007
【図６】
2019193565.tif 000008
【図７】
2019193565.tif 000009
【図８】
2019193565.tif 000010
【図９】
2019193565.tif 000011
【図１０】
2019193565.tif 000012